(57)【要約】【課題】  本発明は、注油時の油垂れによる汚れを防止すると共に、垂れた油も回収できる油汚れ防止シートと提供することを目的とする。【解決手段】  この問題を解決するために、本発明の油汚れ防止シートは、オイルタンクの給油口周辺の汚れを防止する油汚れ防止シートにおいて、前記給油口に続く側壁に沿うことができる軟質な非吸油性シートからなり、その上端部に給油口に掛ける掛部が設けられ、下端部には表面側に口を有し上側に向かって開口したポケットが設けてあることを特徴とする構成を採用した。【選択図】図１
2006315652.tif 000002
【特許請求の範囲】
【請求項１】
オイルタンクの給油口周辺の汚れを防止する油汚れ防止シートにおいて、前記給油口に続く側壁に沿うことができる軟質な非吸油性シートからなり、その上端部に給油口に掛ける掛部が設けられ、下端部には表面側に口を有し上側に向かって開口したポケットが設けてあることを特徴とする油汚れ防止シート
【請求項２】
前記請求項１に記載の油汚れ防止シートにおいて、前記ポケットは、マチ部を有し、自由状態で垂れ下がる油を受け入れられるように開口部が開いている状態となるようにしてあることを特徴とする油汚れ防止シート
【請求項３】
前記請求項１又は２に記載の油汚れ防止シートにおいて、前記ポケットは、給油口を閉じるキャップを保持できる大きさにしてあることを特徴とする油汚れ防止シート
【請求項４】
前記請求項１から３の何れかに記載の油汚れ防止シートにおいて、前記ポケット内に取り出し可能に油吸収材が収納してあることを特徴とする油汚れ防止シート
【請求項５】
前記請求項１から４に何れかに記載の油汚れ防止シートにおいて、その掛部は自動車の給油口に対応した大きさを有し、当該給油口が配置されている給油口室内に収納できるように折り畳んだときの全体の体積を設定してあることを特徴とする油汚れ防止シート
【発明の詳細な説明】
【技術分野】
【０００１】  本発明は、オイルタンクの給油口周辺の汚れを防止する油汚れ防止シートに関し、特に自動車の燃料タンクへの給油口に対応できる油汚れ防止シートに関する。
【背景技術】
【０００２】  燃料タンクの給油口における油垂れを防止するために、実用新案登録第３１００２４１号に示されるようにゴム製の受け皿を注油口の周囲に嵌め込むことが知られている。
このような従来の構成では、注油口周りのみの保護が可能でその他の場所での保護は出来ないのみならず、こぼれた油を回収するのに別途缶を必要とする等の問題があった。
特に、自動車や固定した油タンクへの注油時のように、供給装置の供給口からの油垂れにより、給油口から離れた側壁を汚すような場合には対応できなかった。
【発明の開示】
【発明が解決しようとする課題】
【０００３】
【０００４】  本発明は、このような実情に鑑み、注油時の油垂れによる側壁の汚れを防止すると共に、垂れた油も回収できる油汚れ防止シートと提供することを目的とする。
【課題を解決するための手段】
【０００５】  この問題を解決するために、本発明の油汚れ防止シートは、前記給油口に続く側壁に沿うことができる軟質な非吸油性シートからなり、その上端部に給油口に掛ける掛部が設けられ、下端部には表面側に口を有し上側に向かって開口したポケットが設けてあることを特徴とする構成を採用した。
【発明の効果】
【０００６】  このように構成することにより、本シートを給油口に引っ掛け、その給油口への給油操作側へ垂らしておくことで、給油口に油を供給する供給口からの油垂れが生じてもその油を受け止め車体やタンクの側壁を汚さなくなった。また受け止めた油は、流れ落ちて下部のポケットに溜まるので、別途用具を用いなくとも、垂れた油を回収して所望の箇所に廃棄することが出来るようになった。【０００７】  また、前記ポケットは、マチ部を有し、自由状態で垂れ下がる油を受け入れられるように開口部が開いている状態となるようにすることで、ポケットが閉じて垂れた油を受け入れれなくなるような不測の事態おもなくすことができる。【０００８】  さらに、前記ポケットは給油口を閉じるキャップを保持できる大きさにすることで、給油のために取外したキャップを給油口近くに置く事が出来、給油後のキャップ締め忘れを防止することが出来た。【０００９】  また、前記ポケット内に取り出し可能に油吸収材を収納しおくと、ポケットに回収した油を油吸収材をポケットから取り出すだけで廃棄できるようになり、油の廃棄作業が容易になった。【００１０】  そして、その掛部は自動車の給油口に対応した大きさを有し、当該給油口が配置されている給油口室内に収納できるように折り畳んだときの全体の体積を設定してあることを特徴とする構成を採用することで、自動車のボディーの汚れを防止するのみならず、給油口近くに本シートを収納しておくことができ、本シートの使用を極めて確実かつ簡便に行えるようになった。
【発明を実施するための最良の形態】
【００１１】  以下に、本発明の最良の実施形態を例示するが、本発明はこれによって限定されるものではない。
【実施例１】
【００１２】  本実施例は、自動車の給油口に取付けて使用する例を示す。
（Ｇ）は自動車の給油口、（Ｒ）を給油口を収納してある給油口室、（Ｄ）は前記給油口室（Ｒ）を開閉する扉、（Ｃ）は前記給油口を取外し自在に閉止するキャップである。【００１３】  （１）は、独立発砲させた軟質の樹脂シートからなる油汚れ防止シートである。その上端部には、前記給油口（Ｇ）を通してこれに引っ掛けるために円孔状の掛部（１ａ）が形成してある。下部には、下端の相当長さを表側に折り返し左右両側を相互に貼り付けた上方に向かって開口したポケット（１ｂ）が設けてある。【００１４】  このポケット（１ｂ）は、図１に示すようにして前記キャップ（Ｃ）を受け止めることが可能な大きさにしてある。
当該シート（１）は軟質でかつ弾性変形が容易なもので構成してあるので、図２に示すように、前記注油口（Ｇ）に引っ掛けたまま折り畳んで注油口室（Ｒ）内に収納できる。
この様に収納しておくと、使用時は、扉（Ｄ）を開くと、自身の弾性により飛び出して垂れ下がり、所定の注油可能な姿勢になるので本シートの使用が自動的に行えるようになる。
【実施例２】
【００１５】  本実施例は、シート（１１）のポケット（１ｂ’）に前記キャップ（Ｃ）の注油口突入部分を受ける半円状の受け部（１ｃ）を形成したもので、その他の構成は前記実施例１と同様である。
このようにすることで前記キャップ（Ｃ）をポケット（１ｂ’）に一時的に収納するのが容易になった。  その他は実施例１と同様である。
【実施例３】
【００１６】  本実施例は、シート（１２）は掛部（１ａ）に補強用のパッチ（１ｄ）を貼り付けたもので、その他の点は前記実施例１又は２と同様である。
このようにして、掛部（１ａ）の強度を増して、重たいキャップ（Ｃ）を繰り返し収納しても、掛部（１ａ）が容易には破損しないようにしてある。
前記パッチ（１ｄ）の材質は、本シートと同様なものでも良いが、より強度を増やすには硬質のプラスチックにより形成しても良い。
【実施例４】
【００１７】  本実施例はポケット（１３ｂ）の左右にマチ部（１ｆ）を設けたものを例示する。
左右のマチ部（１ｆ）（１ｆ）は、シート（１３）のポケット相応箇所を左右に延長して形成し、その先端内側にポケット（１３ｂ）の外側壁の両端を接着したものである。
その他は、前記各実施例１と同様であるが、実施例２又は３を適用するのに何ら問題はない。
このようにして、ポケット（１３ｂ）の上部開口部を自由状態でも開いているようにし、キャップ（Ｃ）を収納しなくとも、シート（１３）に受けられて垂れ下がる油を確実に受け入れるようにしてある。
【実施例５】
【００１８】    本実施例はポケット（１４ｂ）の左右に硬質のマチ部（１ｅ）を設けたものを例示する。
左右のマチ部（１ｅ）（１ｅ）は、硬質プラスチック製で、ポケット（１４ｂ）の左右両側で、相対向する壁間に挟みこんで固定してある。
その他は、前記各実施例１と同様であるが、実施例２又は３を適用するのに何ら問題はない。
このようにして、ポケット（１４ｂ）の上部開口部を自由状態でも開いているようにし、キャップ（Ｃ）を収納しなくとも、シート（１４）に受けられて垂れ下がる油を確実に受け入れるようにしてある。
また、マチ部（１ｅ）が硬質なので、折り畳んで収納しておいても、ポケット（１４ｂ）が受け入れ形状になるのがより迅速である。
【実施例６】
【００１９】    本実施例は、ポケット（１ｂ’）内に油吸収材（２）を収納した例を示す。
ポケット（１ｂ’）内の底に、給油口室（Ｒ）内に収納できる大きさの棒状に形成した油吸収材（２）を投入してある。
前記油吸収材（２）は、不織布、繊維束又は紙などを棒状に固めたものである。
その他は、前記各実施例２と同様であるが、実施例１、３、４、５を適用するのに何ら問題はない。
このように油吸収材（２）をポケット（１ｂ’）内に収納しておくと、ポケット（１ｂ’）内に至った油は前記油吸収材（２）に吸収されるので、この油を廃棄するのに、油吸収材（２）を取り出すだけでよくなり、ポケット（１ｂ’）内の清掃が容易になった。
【実施例７】
【００２０】      本実施例は、ポケット（１ｂ’）内に板状の油吸収材（２０）を収納した例を示す。
ポケット（１ｂ’）内の底に、給油口室（Ｒ）内に収納できる大きさでかつポケット（１ｂ’）に収納したときの上部がポケット上端部又はその上方に位置する大きさの板状に形成した油吸収材（２０）を投入してある。
前記油吸収材（２０）は、不織布、繊維束又は紙などを棒状に固めたものである。
その他は、前記各実施例２と同様であるが、実施例１、３、４、５を適用するのに何ら問題はない。
このように油吸収材（２０）をポケット（１ｂ’）内に収納しておくと、ポケット（１ｂ’）内に至った油は前記油吸収材（２０）に吸収されるので、この油を廃棄するのに、油吸収材（２０）を取り出すだけでよくなり、ポケット（１ｂ’）内の清掃が容易になった。
上記のような大きさにしてあるのでポケット（１ｂ’）内に深く手指を突っ込まなくとも油吸収材（２０）取り出せ、手指の汚れも最小限に留めることができた。
【実施例８】
【００２１】  本実施例は、軟質な油吸収材の例を示す。油吸収材（２１）は、紙又は布などの軟質な多孔性シートにて所定形状に形成した袋（２１ａ）内に、木っ端、紙片又は綿くず等の油吸収性のフレークを詰めて構成してある。
ポケット内の配置その他は、前記実施例７又は８と同様である。
このように構成した軟質な油吸収材を用いると、前記実施例７又は８のものに比べ大きくしても、注油口室（Ｒ）内に折り畳んで収納できるようになった。
【実施例９】
【００２２】  本実施例は、硬質のプラスチックよりなるリング（１５ａ）を掛部とした例を示す。シート本体（１５ｃ）前記実施例１と同様な軟質の材料で形成されている。
リング（１５ａ）は、硬質のプラスチックにより注油口（Ｇ）を通過させる大きさの内径を有し、前記シート本体（１５ｃ）の上端部を接着固定できる幅さを有して形成したものである。
その他は、実施例１、２、及び４〜９を何れも問題なく適用できる。
このように、掛部を硬質の材料で構成することにより、ポケットに重いキャップを入てても対応できる十分な強度を有さしめることができた。
【実施例１０】
【００２３】  前記実施例９をさらに改良したもので、リング（１６ａ）を３／４円弧に形成し、一側部に開口を形成したものである。
このようにすることで、基部より口部の外形が大きく形成してある注油口にも、側方から掛部を注油口の基部に掛けとめる事ができるようになった。
【その他の実施例】
【００２４】  本シート及びシート本体を構成する材料としては、発泡ポリウレタン、発泡ポリスチレン、発泡ポリビニル、発泡ポリエチレン等の発泡軟質シート、天然ゴム、合成ゴム、ポリスチレン、ポリビニル、ポリエチレン、ポリプロピレン等の未発泡の軟質シートなどが使用可能である。
また、布、紙、不織布などの表面又は両面に上記樹脂材料からなるフィルムをラミネートした複合シートも使用可能である。
また、カーボンや金属などの導電性材料を材料内に混入して導電性を有せしめたシートを用いると静電気の発生を防止することが出来る。
【産業上の利用可能性】
【００２５】  なお、上記各実施例では自動車の燃料タンクに対し使用する例を説明してあるが、固定型の灯油タンク等に注油する場合にも、本発明を適用できるものである。
【図面の簡単な説明】
【００２６】
【図１】  実施例１の使用状態の示す斜視図。
【図２】  実施例１のシート収納状態を示す斜視図。
【図３】  実施例２を示す斜視図。
【図４】  実施例３を示す斜視図
【図５】  実施例４を示す斜視図
【図６】  実施例５を示す斜視図
【図７】  実施例６を示す斜視図
【図８】  実施例７を示す斜視図
【図９】  実施例８を示す斜視図
【図１０】  実施例９を示す斜視図
【図１１】  実施例１０を示す斜視図
【符号の説明】
【００２７】  （１）（１１）（１２）（１３）（１４）（１５）（１６）油汚れ防止シート
（１ａ）（１５ａ）（１６ａ）掛部
（１ｂ）（１ｂ’）（１３ｂ）（１４ｂ）ポケット
（１５ｃ）（１６ｃ）シート本体
（１ｃ）受け部
（２）（２０）（２１）油吸収材
（２１ａ）袋
（２１ｂ）フレーク
（Ｇ）給油口
（Ｒ）給油口室
（Ｄ）扉
（Ｃ）キャップ
【図１】
2006315652.tif 000003
【図２】
2006315652.tif 000004
【図３】
2006315652.tif 000005
【図４】
2006315652.tif 000006
【図５】
2006315652.tif 000007
【図６】
2006315652.tif 000008
【図７】
2006315652.tif 000009
【図８】
2006315652.tif 000010
【図９】
2006315652.tif 000011
【図１０】
2006315652.tif 000012
【図１１】
2006315652.tif 000013